(57)【特許請求の範囲】
【請求項１】
ブルートゥース(登録商標）無線通信方式を用いたデータ通信機能を有する無線電話機を含む複数の内線電話機と、これら内線電話機を接続するとともに通話回線を収容する電話制御装置とを有し、前記電話制御装置により、前記内線電話機と前記通話回線とを制御して任意に交換接続することにより当該通話回線を用いた当該内線電話機による通話を実現する電話システムであって、
前記無線電話機は、搬送波周波数の異なる複数のチャネルのうちから任意の通信条件に基づき順次選択したチャネルを用いて無線データ通信を行う通信制御手段と、前記電話制御装置から通知された通信条件を前記無線データ通信の通信条件として前記通信制御手段に指定する通信条件指示手段とを有し、
前記電話制御装置は、ＬＡＮ回線を介して接続された無線ＬＡＮ基地局から当該無線ＬＡＮ基地局で音声パケット通信に用いている無線ＬＡＮチャネルの使用状況を示す無線ＬＡＮチャネル情報を取得する無線ＬＡＮ管理手段と、前記無線ＬＡＮチャネル情報から生成した新たな通信条件を前記無線電話機へ通知する通信条件通知手段とを有し、
前記通信条件通知手段は、前記無線ＬＡＮチャネル情報から抽出した使用開始無線ＬＡＮチャネルおよび使用終了無線チャネルのチャネル番号を前記通信条件として前記無線電話機へ通知し、
前記通信条件指示手段は、前記通信条件に含まれる使用開始無線ＬＡＮチャネル番号に対応するブルートゥースチャネル番号を使用不可チャネルとして前記通信制御手段に指定し、前記通信条件に含まれる使用終了無線ＬＡＮチャネル番号に対応するブルートゥースチャネル番号を使用可チャネルとして前記通信制御手段に指定する
ことを特徴とする電話システム。
【請求項２】
請求項１に記載の電話システムにおいて、
前記通信条件通知手段は、前記無線ＬＡＮチャネル情報から抽出した使用開始無線ＬＡＮチャネルおよび使用終了無線チャネルのチャネル番号と対応するブルートゥースチャネル番号を前記通信条件として前記無線電話機へ通知し、
前記通信条件指示手段は、前記通信条件に含まれる使用開始ブルートゥースチャネル番号を使用不可チャネルとして前記通信制御手段に指定し、前記通信条件に含まれる使用終了ブルートゥースチャネル番号を使用可チャネルとして前記通信制御手段に指定する
ことを特徴とする電話システム。
【請求項３】
ブルートゥース(登録商標）無線通信方式を用いたデータ通信機能により搬送波周波数の異なる複数のチャネルのうちから任意の通信条件に基づき順次選択したチャネルを用いて無線データ通信を行う無線電話機を含む複数の内線電話機と、これら内線電話機を接続するとともに通話回線を収容する電話制御装置とを有する電話システムで用いられ、前記内線電話機と前記通話回線とを制御して任意に交換接続することにより当該通話回線を用いた当該内線電話機による通話を実現する電話制御装置であって、
ＬＡＮ回線を介して接続された無線ＬＡＮ基地局から当該無線ＬＡＮ基地局で音声パケット通信に用いている無線ＬＡＮチャネルの使用状況を示す無線ＬＡＮチャネル情報を取得する無線ＬＡＮ管理手段と、
前記無線ＬＡＮチャネル情報から抽出した使用開始無線ＬＡＮチャネルおよび使用終了無線チャネルのチャネル番号と対応するブルートゥースチャネル番号を、新たな通信条件として前記無線電話機へ通知する通信条件通知手段と
を備えることを特徴とする電話制御装置。
【請求項４】
ブルートゥース(登録商標）無線通信方式を用いたデータ通信機能により搬送波周波数の異なる複数のチャネルのうちから任意の通信条件に基づき順次選択したチャネルを用いて無線データ通信を行う無線電話機を含む複数の内線電話機と、これら内線電話機を接続するとともに通話回線を収容する電話制御装置とを有する電話システムで用いられ、前記内線電話機と前記通話回線とを制御して任意に交換接続することにより当該通話回線を用いた当該内線電話機による通話を実現する電話制御装置のコンピュータに、
ＬＡＮ回線を介して接続された無線ＬＡＮ基地局から当該無線ＬＡＮ基地局で音声パケット通信に用いている無線ＬＡＮチャネルの使用状況を示す無線ＬＡＮチャネル情報を取得する無線ＬＡＮ管理ステップと、
前記無線ＬＡＮチャネル情報から抽出した使用開始無線ＬＡＮチャネルおよび使用終了無線チャネルのチャネル番号と対応するブルートゥースチャネル番号を、新たな通信条件として前記無線電話機へ通知する通信条件通知ステップと
を実行させるプログラム。
【発明の詳細な説明】
【技術分野】
【０００１】
本発明は、電話機制御技術に関し、特にブルートゥース(登録商標:Bluetooth)無線通信方式を用いた無線電話機を含む複数の電話機により通話回線を共用する電話システムで、これら無線電話機で用いる無線チャネルを管理するチャネル管理技術に関する。
【背景技術】
【０００２】
複数の内線電話機により通話回線（外線）を共用するボタン電話装置などの電話システムでは、内線電話機としてブルートゥース無線通信方式を用いたブルートゥース無線電話機を収容する電話システムがある。
例えば、有線伝送路を介して電話制御装置に接続された無線親機とハンドセット型の無線子機とからなるカールコードレス電話機では、無線親機と無線子機との間でやり取りする音声データや制御データをブルートゥース無線通信方式で送受信する構成をとっており、無線親機からある程度離れた場所でも無線子機により通話できる。
【０００３】
このような、汎用無線インターフェースであるブルートゥース無線通信方式では、変調方式として周波数ホッピング・スペクトラム拡散（FHSS:Frequency Hopping Spread Spectrum）変調方式が用いられている（非特許文献１など参照）。周波数ホッピング・スペクトラム拡散変調方式は、一定時間ごとに搬送波周波数（中心周波数）を変えてすなわち周波数ホッピングして伝送する方式である。
一般に、任意の帯域幅の電力は周波数ホッピングする周期に対して十分長い時間で平均すると低くなるので他のシステムの通信を妨害しにくく、また特定の周波数に妨害波が存在してもすぐ別の周波数にホッピングするので他のシステムからの干渉に強いといわれている。
【０００４】
ブルートゥース無線通信方式では、２．４ＧＨｚ帯に１ＭＨｚ間隔で７９個または２３個のチャネルを設け、通信開始時にマスタ側とスレーブ側との間で設定したチャネル選択順に基づき、１６００回／秒という速度で周波数ホッピングを繰り返し、その際、選択したチャネルを用いて相手無線装置と所望のパケットを送受信することにより、データ通信を行うものとなっている。
【０００５】
従来より、このような周波数ホッピング技術として、他の機器から送信されている電波により任意のチャネルでパケット送受信エラーが発生した場合、そのチャネルを使用不可とするアダプティブ周波数ホッピング（以下、ＡＦＨという：Adaptive Frequency Hopping）技術が使用されている（例えば、非特許文献２など参照／ブルートゥース 1.2）。
このアダプティブ周波数ホッピング技術によれば、使用不可と判断されたチャネルはチャネル選択順から除外されるため、そのチャネルに対してそれ以降周波数ホッピングが行われなくなり、当該チャネルの搬送波周波数における他の装置との電波の相互干渉や、同種の無線通信装置との当該チャネルにおけるパケット送受信の衝突による無線通信の途切れを低減できる。
【０００６】
一方、ブルートゥース無線通信方式と同様に、産業科学医療用に用意されたＩＳＭ（Industrial Scientific Medical）バンドの周波数を用いて無線通信を行う汎用無線インターフェースとして、各種のスペクトラム拡散変調方式を用いる無線ＬＡＮ通信方式がある（非特許文献３など参照）。
例えば、無線ＬＡＮ通信方式のIEEE 802.11gでは、２．４ＧＨｚ帯に５ＭＨｚ間隔で１３個のチャネルを設け、ＣＳＭＡ／ＣＡ（Carrier Sense Multiple Access with Collision Avoidance）方式により無線通信を行う。
【０００７】
ＣＳＭＡ／ＣＡ方式では、まず、使用するチャネルからデータを送信する前に、他無線通信装置が当該チャネルでデータ送信をしていないかを調べ(Carrier Sense)、さらに自分宛のデータが送信されてきていないかを調べる(Sense Multiple Access)。その結果、衝突の心配がないと判断したらデータを送信し、他に通信中の無線通信装置があった場合には送信待機(Collision Avoidance)となる。送信待機では、ランダムに割り当てられた時間を待ってから再度上記手順を繰り返す。また、全く同時に２つの無線通信装置が送信を始めて衝突した場合は、エラー回復ができないため上位層レベルで再送が行われる。
【０００８】
【非特許文献１】http://www.bluetooth.org/spec/
【非特許文献２】http://www.ericsson.com/bluetooth/files/whitepaper_on_afh_final.pdf
【非特許文献３】http://grouper.ieee.org/groups/802/11/
【発明の開示】
【発明が解決しようとする課題】
【０００９】
しかしながら、このような従来技術では、ＩＳＭバンドを使用する無線ＬＡＮ通信装置とブルートゥース無線電話機との間で電波干渉が発生した場合、ブルートゥース無線電話機と併用される無線ＬＡＮ通信装置の無線通信環境、あるいはブルートゥース無線電話機自体の無線通信環境を良好に保つことができないという問題点があった。
【００１０】
例えば、ブルートゥース無線通信方式のＡＦＨでは、無線ＬＡＮ通信方式のようなキャリアセンス動作は行わず、選択したチャネルでパケット送受信を行い、その通信エラーの有無に応じて当該チャネルの使用可否を判断している。このため、無線ＬＡＮ通信装置の通信エリア内でブルートゥース無線電話機を併用する場合、信号送受信のタイミングによってはブルートゥース無線電話機がチャネルを優先的に確保してしまい、無線ＬＡＮ通信装置で対応する周波数のチャネルを確保できなくなり、無線ＬＡＮ通信装置の無線通信環境が悪化する場合がある。
【００１１】
本発明はこのような課題を解決するためのものであり、ＩＳＭバンドを使用する無線ＬＡＮ通信装置が電話システムの内線電話機をなすブルートゥース無線電話機と併用される場合でも、ＩＳＭバンドでの無線通信環境を良好に保つことができる電話システム、電話制御装置、およびプログラムを提供することを目的としている。
【課題を解決するための手段】
【００１２】
このような目的を達成するために、本発明にかかる電話システムは、ブルートゥース(登録商標）無線通信方式を用いたデータ通信機能を有する無線電話機を含む複数の内線電話機と、これら内線電話機を接続するとともに通話回線を収容する電話制御装置とを有し、電話制御装置により、内線電話機と通話回線とを制御して任意に交換接続することにより当該通話回線を用いた当該内線電話機による通話を実現する電話システムであって、無線電話機は、搬送波周波数の異なる複数のチャネルのうちから任意の通信条件に基づき順次選択したチャネルを用いて無線データ通信を行う通信制御手段と、電話制御装置から通知された通信条件を無線データ通信の通信条件として通信制御手段に指定する通信条件指示手段とを有し、電話制御装置は、ＬＡＮ回線を介して接続された無線ＬＡＮ基地局から当該無線ＬＡＮ基地局で音声パケット通信に用いている無線ＬＡＮチャネルの使用状況を示す無線ＬＡＮチャネル情報を取得する無線ＬＡＮ管理手段と、無線ＬＡＮチャネル情報から生成した新たな通信条件を無線電話機へ通知する通信条件通知手段とを有し、通信条件通知手段で、無線ＬＡＮチャネル情報から抽出した使用開始無線ＬＡＮチャネルおよび使用終了無線チャネルのチャネル番号を通信条件として無線電話機へ通知し、通信条件指示手段で、通信条件に含まれる使用開始無線ＬＡＮチャネル番号に対応するブルートゥースチャネル番号を使用不可チャネルとして通信制御手段に指定し、通信条件に含まれる使用終了無線ＬＡＮチャネル番号に対応するブルートゥースチャネル番号を使用可チャネルとして通信制御手段に指定するようにしたものである。
【００１５】
また、通信条件通知手段で、無線ＬＡＮチャネル情報から抽出した使用開始無線ＬＡＮチャネルおよび使用終了無線チャネルのチャネル番号と対応するブルートゥースチャネル番号を通信条件として無線電話機へ通知し、通信条件指示手段で、通信条件に含まれる使用開始ブルートゥースチャネル番号を使用不可チャネルとして通信制御手段に指定し、通信条件に含まれる使用終了ブルートゥースチャネル番号を使用可チャネルとして通信制御手段に指定するようにしてもよい。
【００１６】
また、本発明にかかる電話制御装置は、ブルートゥース(登録商標）無線通信方式を用いたデータ通信機能により搬送波周波数の異なる複数のチャネルのうちから任意の通信条件に基づき順次選択したチャネルを用いて無線データ通信を行う無線電話機を含む複数の内線電話機と、これら内線電話機を接続するとともに通話回線を収容する電話制御装置とを有する電話システムで用いられ、内線電話機と通話回線とを制御して任意に交換接続することにより当該通話回線を用いた当該内線電話機による通話を実現する電話制御装置であって、ＬＡＮ回線を介して接続された無線ＬＡＮ基地局から当該無線ＬＡＮ基地局で音声パケット通信に用いている無線ＬＡＮチャネルの使用状況を示す無線ＬＡＮチャネル情報を取得する無線ＬＡＮ管理手段と、無線ＬＡＮチャネル情報から抽出した使用開始無線ＬＡＮチャネルおよび使用終了無線チャネルのチャネル番号と対応するブルートゥースチャネル番号を、新たな通信条件として無線電話機へ通知する通信条件通知手段とを備えている。
【００１７】
また、本発明にかかるプログラムは、ブルートゥース(登録商標）無線通信方式を用いたデータ通信機能により搬送波周波数の異なる複数のチャネルのうちから任意の通信条件に基づき順次選択したチャネルを用いて無線データ通信を行う無線電話機を含む複数の内線電話機と、これら内線電話機を接続するとともに通話回線を収容する電話制御装置とを有する電話システムで用いられ、内線電話機と通話回線とを制御して任意に交換接続することにより当該通話回線を用いた当該内線電話機による通話を実現する電話制御装置のコンピュータに、ＬＡＮ回線を介して接続された無線ＬＡＮ基地局から当該無線ＬＡＮ基地局で音声パケット通信に用いている無線ＬＡＮチャネルの使用状況を示す無線ＬＡＮチャネル情報を取得する無線ＬＡＮ管理ステップと、無線ＬＡＮチャネル情報から抽出した使用開始無線ＬＡＮチャネルおよび使用終了無線チャネルのチャネル番号と対応するブルートゥースチャネル番号を、新たな通信条件として無線電話機へ通知する通信条件通知ステップとを実行させる。
【発明の効果】
【００１８】
本発明によれば、電話制御装置において、ＬＡＮ回線を介して接続された無線ＬＡＮ基地局から当該無線ＬＡＮ基地局で音声パケット通信に用いている無線ＬＡＮチャネルの使用状況を示す無線ＬＡＮチャネル情報が取得されて、無線ＬＡＮチャネル情報から抽出した使用開始無線ＬＡＮチャネルおよび使用終了無線チャネルのチャネル番号が新たな通信条件が無線電話機へ通知され、各無線電話機で、この通信条件に基づいて搬送波周波数の異なる複数のチャネルのうちから順次選択したチャネルを用いて無線データ通信が行われる。
これにより、無線ＬＡＮ基地局での無線ＬＡＮチャネルの使用状況に基づいて、電話制御装置から各無線電話機に対して、それぞれの無線データ通信に関する新たな通信条件を自動的に設定することができる。
【００１９】
したがって、ＩＳＭバンドを使用する無線ＬＡＮ通信装置が電話システムの内線電話機をなすブルートゥース無線電話機と併用される場合でも、ＩＳＭバンドでの無線通信環境を良好に保つことができる。また、電話制御装置から各無線電話機に対して新たな通信条件が自動的に設定されるため、ブルートゥース無線電話機で使用不可とするブルートゥースチャネル番号を設定するなどの通信条件を利用者が設定する必要がなくなり、利用者の作業負担を削減できる。
【発明を実施するための最良の形態】
【００２０】
次に、本発明の実施の形態について図面を参照して説明する。
［第１の実施の形態］
まず、図１を参照して、本発明の第１の実施の形態にかかる電話システムについて説明する。図１は、本発明の第１の実施の形態にかかる電話システムの構成を示すブロック図である。
【００２１】
この電話システムは、内線電話機として動作する複数の無線電話機４（４Ａ，４Ｂ，４Ｃ，…）と、これら無線電話機４を有線の内線伝送路５を介して接続するとともにアナログ電話回線、ＩＳＤＮ回線、あるいはＩＰ電話回線などからなる１つ以上の通話回線９を収容する電話制御装置１とから構成されている。また、電話制御装置１には、ＬＡＮ回線８を介して無線ＬＡＮ基地局７と接続されている。無線ＬＡＮ基地局７は、無線ＬＡＮ通信方式を用いて無線ＬＡＮ機器との間でデータ通信や音声通話を実現するアクセスポイント（無線ＬＡＮ通信装置）である。
【００２２】
無線電話機４は、カールコードレス無線親機（以下、親機という）２とカールコードレス無線子機（以下、子機という）３とからなるカールコードレス無線電話機である。この無線電話機４は、呼制御機能を持つ親機２と通話機能を持つ子機３とがブルートゥース無線通信方式による無線伝送路を介して接続される電話機であり、親機２が内線伝送路５を介して電話制御装置１と接続されている。
【００２３】
本実施の形態では、無線電話機４で搬送波周波数の異なる複数のチャネルのうちから任意の通信条件に基づき順次選択したチャネルを用いて無線データ通信を行う際、電話制御装置１により、ＬＡＮ回線８を介して接続された無線ＬＡＮ基地局７から当該無線ＬＡＮ基地局７での無線ＬＡＮチャネルの使用状況を示す無線ＬＡＮチャネル情報を取得し、この無線ＬＡＮチャネル情報から生成した新たな通信条件を各無線電話機４へ通知するようにしたものである。
【００２４】
［電話制御装置］
次に、図１を参照して、本発明の第１の実施の形態にかかる電話システムの電話制御装置について詳細に説明する。ここでは、内線電話機のすべてが無線電話機４から構成されている場合を例として説明する。
【００２５】
この電話制御装置１は、例えばボタン電話装置の主装置に相当する通信制御装置であり、外線インターフェース部（以下、外線Ｉ／Ｆ部という）１０、内線インターフェース部（以下、内線Ｉ／Ｆ部という）１１、スイッチ１２、記憶部１４、および制御部１５が設けられている。
【００２６】
外線Ｉ／Ｆ部１０は、専用のインターフェース回路部からなり、通話回線（外線）９やＬＡＮ回線８を終端制御する機能を有している。
内線Ｉ／Ｆ部１１は、専用のインターフェース回路部からなり、内線伝送路５を介して各無線電話機４（４Ａ〜４Ｎ）とデータ伝送を行う機能を有している。
スイッチ１２は、専用のスイッチング回路部からなり、外線Ｉ／Ｆ部１０と内線Ｉ／Ｆ部１１との伝送路を交換接続する機能を有している。
【００２７】
記憶部１４は、メモリやハードディスクなどの記憶装置からなり、制御部１５での処理に用いる各種処理情報やプログラムを記憶する機能を有している。
主な処理情報としては、呼制御情報１４Ａ、および無線ＬＡＮチャネル情報１４Ｂがある。
呼制御情報１４Ａは、電話システム全体の呼制御に用いる情報であり、通話回線９や各無線電話機４の状態が管理されている。
無線ＬＡＮチャネル情報１４Ｂは、無線ＬＡＮ基地局７から取得した、当該無線ＬＡＮ基地局７での無線ＬＡＮ音声パケット通信で使用開始した無線ＬＡＮチャネル、あるいは使用終了した無線ＬＡＮチャネルの無線ＬＡＮチャネル番号を含む情報である。
【００２８】
制御部１５は、ＣＰＵなどのマイクロプロセッサとその周辺回路を有し、記憶部１４のプログラムを読み込んで実行することにより、上記ハードウェアとプログラムとを協働させ各種機能手段を実現する機能を有している。
主な機能手段としては、呼制御手段１５Ａ、無線ＬＡＮ管理手段１５Ｂ、および通信条件通知手段１５Ｃがある。
【００２９】
呼制御手段１５Ａは、電話システム全体の呼制御を行う手段であり、記憶部１４の呼制御情報１４Ａに基づき外線Ｉ／Ｆ部１０およびスイッチ１２を制御するとともに、内線Ｉ／Ｆ部１１および内線伝送路５を介して各無線電話機４と各種制御情報をやり取りすることにより、通信回線９を用いた無線電話機４による外線発着信動作や無線電話機４間の内線発着信動作を制御する機能を有している。
【００３０】
無線ＬＡＮ管理手段１５Ｂは、外線Ｉ／Ｆ部１０に接続されたＬＡＮ回線８を介して無線ＬＡＮ基地局７とデータ通信を行うことにより、無線ＬＡＮ基地局７で用いている無線ＬＡＮチャネル番号を含むチャネル使用状況を取得して記憶部１４へ無線ＬＡＮチャネル情報１４Ｂとして保存する機能を有している。
通信条件通知手段１５Ｃは、記憶部１４の無線ＬＡＮチャネル情報１４Ｂから生成した新たな通信条件を、各無線電話機４へ通知して設定する機能とを有している。
【００３１】
［無線電話機］
次に、図２を参照して、本発明の第１の実施の形態にかかる電話システムで用いられる無線電話機について詳細に説明する。図２は、本発明の第１の実施の形態にかかる電話システムで用いられる無線電話機の構成を示すブロック図である。
【００３２】
この無線電話機４は、呼制御機能を持つ親機２と通話機能を持つ子機３とがブルートゥース無線通信方式による無線伝送路を介して接続される電話機であり、親機２が内線伝送路５を介して電話制御装置１と接続されている。
【００３３】
［親機］
親機２には、伝送インターフェース部（以下、伝送Ｉ／Ｆ部という）２０、音声処理部２１、表示部２２、操作入力部２３、記憶部２４、親機制御部２５、および無線モジュール２６が設けられている。
【００３４】
伝送Ｉ／Ｆ部２０は、専用のインターフェース回路部からなり、内線伝送路５を介して電話制御装置１とデータ伝送を行う機能を有している。
音声処理部２１は、専用の音声処理回路とスピーカ（図示せず）およびマイク（図示せず）からなり、親機制御部２５からの指示に応じて伝送Ｉ／Ｆ部２０で受信した音声データを音声信号に復号してスピーカから出力する機能と、マイクから入力された音声信号を音声データに符号化して伝送Ｉ／Ｆ部２０へ出力する機能とを有している。
【００３５】
表示部２２は、ＬＣＤやＬＥＤなどの表示装置からなり、親機制御部２５からの指示に応じて呼制御用の表示や通信条件設定時の項目選択画面を表示する機能を有している。
操作入力部２３は、ダイヤルキーや項目選択用の操作キー、さらには各種スイッチからなり、利用者の操作を検出して親機制御部２５へ出力する機能を有している。
記憶部２４は、メモリなどの記憶装置からなり、親機制御部２５での処理に用いる各種処理情報やプログラムを記憶する機能を有している。
【００３６】
親機制御部２５は、ＣＰＵなどのマイクロプロセッサとその周辺回路を有し、記憶部１４のプログラムを読み込んで実行することにより、上記ハードウェアとプログラムとを協働させ各種機能手段を実現する機能を有している。
主な機能手段としては、呼制御手段２５Ａおよび通信条件指示手段２５Ｂがある。
【００３７】
呼制御手段２５Ａは、伝送Ｉ／Ｆ部２０および内線伝送路５を介して電話制御装置１と各種制御情報をやり取りするとともに、無線モジュール２６を介して子機３と各種制御情報をやり取りすることにより、当該親機２および子機３を制御して通信回線９を用いた外線発着信動作や他の無線電話機４との内線発着信動作を制御する機能を有している。
【００３８】
通信条件指示手段２５Ｂは、電話制御装置１から通知された通信条件に含まれる無線ＬＡＮチャネル番号に基づき、当該無線電話機４の親機２と子機３との間の無線データ通信で使用するブルートゥースチャネル番号を示す通信条件を生成して無線モジュール２６に指定する機能を有している。特に、通信条件指示手段２５Ｂは、通信条件に含まれる使用開始無線ＬＡＮチャネル番号に対応するブルートゥースチャネル番号を使用不可チャネルとして指定し、通信条件に含まれる使用終了無線ＬＡＮチャネル番号に対応するブルートゥースチャネル番号を使用可チャネルとして指定する。このチャネル変換には、図３に示すようなチャネル番号抽出テーブルを用いてもよく、所定の数式により変換してもよい。
【００３９】
無線モジュール２６は、ブルートゥース無線通信方式に準拠した無線インターフェースを提供する機能モジュールであり、各種機能部が親機２を構成する１つの構成要素として一体に実装されている。
無線モジュール２６に設けられている主な機能部としては、無線送受信部２７、モジュール記憶部２８、およびモジュール制御部２９がある。
【００４０】
無線送受信部２７は、ブルートゥース無線通信方式に準拠して無線信号を送受信する回路部であり、子機３との間で無線信号を送受信することにより無線回線６を介したデータ通信を行う機能を有している。この際、無線送受信部２７は、周波数ホッピング・スペクトラム拡散変調方式に基づき２．４ＧＨｚ帯に１ＭＨｚ間隔で設けた７９個または２３個のチャネルをモジュール制御部２９からの指示に基づき周波数ホッピングを繰り返し、その周波数ホッピングで選択したチャネルを用いて子機３と所望のパケットを送受信することによりデータ通信を行う。
【００４１】
モジュール記憶部２８は、メモリなどの記憶装置からなり、モジュール制御部２９での処理動作に用いる各種処理情報を記憶する機能を有している。モジュール記憶部２８で記憶する主な処理情報として、チャネルテーブル２８Ａがある。
チャネルテーブル２８Ａは、周波数ホッピング・スペクトラム拡散変調方式で順次選択する各チャネルの使用可否を管理するための処理情報であり、図４に示すように、ブルートゥースチャネル番号ごとに当該チャネルの使用可否情報が対応付けて登録されている。
このほか、モジュール記憶部２８には、モジュール制御部２９に読み込まれて実行されることにより各種機能手段を実現するためのプログラムなどを予め格納しておいてもよい。
【００４２】
モジュール制御部２９は、ＣＰＵとその周辺回路からなるハードウェアとこれらＣＰＵあるいは周辺回路に設けたメモリ（図示せず）やモジュール記憶部２８に予め格納されているプログラムとを協働させることにより、ブルートゥース無線通信方式に準拠して無線送受信部２７を制御するための機能手段を実現する。
【００４３】
このモジュール制御部２９で実現される主な機能手段としては、通信制御手段２９Ａがある。
通信制御手段２９Ａは、無線送受信部２７を制御して子機３と親機制御部２５との間のデータ通信を制御する機能と、周波数ホッピング・スペクトラム拡散変調方式に基づき、子機３との間でデータ通信開始時に取り決めたチャネル選択順に基づき各チャネルのうちからいずか１つを順次選択して無線送受信部２７へ指示する機能とを有している。この際、通信制御手段２９Ａは、モジュール記憶部２８のチャネルテーブル２８Ａを参照し、チャネル選択順にしたがって選択される次のチャネルが使用不可の場合、後続する使用可のチャネルまでスキップし、その使用可のチャネルを選択する。
【００４４】
このほか、通信制御手段２９Ａは、データ通信時に周波数ホッピングで選択したチャネルでの子機３とのパケット送受信の通信状況を親機制御部２５へ通知する機能と、親機制御部２５からの指示に応じてモジュール記憶部２８のチャネルテーブル２８Ａについて任意のチャネルの使用可否情報を更新する機能と、親機制御部２５からの指示に応じてモジュール記憶部２８のチャネルテーブル２８Ａを子機３へ通知して更新する機能とを有している。
【００４５】
［子機］
子機３には、音声処理部３１、表示部３２、操作入力部３３、記憶部３４、子機制御部３５、および無線モジュール３６が設けられている。
【００４６】
音声処理部３１は、専用の音声処理回路とスピーカ（図示せず）およびマイク（図示せず）からなり、子機制御部３５からの指示に応じて無線モジュール３６で受信した音声データを音声信号に復号してスピーカから出力する機能と、マイクから入力された音声信号を音声データに符号化して無線モジュール３６へ出力する機能とを有している。
【００４７】
表示部３２は、ＬＣＤやＬＥＤなどの表示装置からなり、子機制御部３５からの指示に応じて呼制御用の表示を行う機能を有している。
操作入力部３３は、ダイヤルキーなどの操作キー、さらには各種スイッチからなり、利用者の操作を検出して子機制御部３５へ出力する機能を有している。
記憶部３４は、メモリなどの記憶装置からなり、子機制御部３５での処理に用いる各種処理情報やプログラムを記憶する機能を有している。
【００４８】
子機制御部３５は、ＣＰＵなどのマイクロプロセッサとその周辺回路を有し、記憶部１４のプログラムを読み込んで実行することにより、上記ハードウェアとプログラムとを協働させて各種機能を実現する。
主な機能としては、無線回線６および無線モジュール３６を介して親機２と各種制御情報をやり取りすることにより当該子機３の動作状態を制御する機能や、操作入力部３３で検出された操作の内容を親機２へ通知する機能を有している。
【００４９】
無線モジュール３６は、ブルートゥース無線通信方式に準拠した無線インターフェースを提供する機能モジュールであり、各種機能部が子機３を構成する１つの構成要素として一体に実装されている。
無線モジュール３６の具体的構成は、親機２の無線モジュール２６と同様であり、ここでの詳細な説明は省略する。
【００５０】
［第１の実施の形態の動作］
次に、図５を参照して、本発明の第１の実施の形態にかかる電話システムの動作について説明する。図５は、本発明の第１の実施の形態にかかる電話システムの動作として通信条件設定動作を示すシーケンス図である。
ここでは、無線制御装置１により、ＬＡＮ回線８を介して無線ＬＡＮ基地局７から当該無線ＬＡＮ基地局７で用いている無線ＬＡＮチャネル番号を含む無線ＬＡＮチャネル情報１４Ｂを取得し、この無線ＬＡＮチャネル情報１４Ｂから生成した新たな通信条件を各無線電話機４へ通知して設定する場合を例として説明する。
【００５１】
電話制御装置１の制御部１５は、無線ＬＡＮ管理手段１５Ｂにより、外線Ｉ／Ｆ部１０およびＬＡＮ回線８を介して無線ＬＡＮ基地局７から、当該無線ＬＡＮ基地局７を介した音声パケット通信に用いている無線ＬＡＮチャネルの使用状況を示す無線ＬＡＮチャネル情報１４Ｂを取得し、記憶部１４へ保存する（ステップ１００）。無線ＬＡＮチャネル情報１４Ｂとしては、使用開始／使用終了した無線ＬＡＮチャネルのチャネル番号だけでもよく、各無線ＬＡＮチャネル番号の使用可否を示す情報であってもよい。
【００５２】
無線ＬＡＮチャネル情報１４Ｂの取得方法については、無線ＬＡＮ基地局７から無線ＬＡＮチャネル情報を定期的あるいは使用状況の変化に応じて電話制御装置１へ通知するようにしてもよい。あるいは、電話制御装置１の無線ＬＡＮ管理手段１５Ｂにより、無線ＬＡＮ基地局７から送信された制御パケットを監視して無線ＬＡＮチャネル情報１４Ｂを抽出してもよく、電話制御装置１の無線ＬＡＮ管理手段１５Ｂから無線ＬＡＮ基地局７へ問い合わせを行って無線ＬＡＮチャネル情報１４Ｂを取得してもよい。
【００５３】
通信条件通知手段１５Ｃは、無線ＬＡＮ管理手段１５Ｂにより新たな無線ＬＡＮチャネル情報１４Ｂが取得された場合、その無線ＬＡＮチャネル情報１４Ｂを記憶部１４から読み出して無線ＬＡＮ基地局７で使用開始および使用終了した無線ＬＡＮチャネルのチャネル番号を抽出する。ここで、使用開始無線ＬＡＮチャネルのチャネル番号が抽出された場合、その無線ＬＡＮチャネル番号からなる新たな通信条件を設定通知により内線Ｉ／Ｆ部１１から内線伝送路５を介して各無線電話機４Ａへ通知する（ステップ１０１）。
【００５４】
無線電話機４を構成する親機２の親機制御部２５は、伝送Ｉ／Ｆ部２０を介して電話制御装置１から設定通知を受信した場合、通信条件指示手段２５Ｂにより、この設定通知で通知された新たな通信条件に含まれる使用開始無線ＬＡＮチャネル番号をブルートゥースチャネル番号に変換する（ステップ１０２）。
【００５５】
続いて、通信条件指示手段２５Ｂは、変換により得られた使用開始無線ＬＡＮチャネル番号と対応するブルートゥースチャネル番号を使用不可チャネルとして無線モジュール２６へ指定する。
無線モジュール２６のモジュール制御部２９は、通信制御手段２９Ａにより、通信条件指示手段２５Ｂから指定された使用不可チャネルを、モジュール記憶部２８のチャネルテーブル２８Ａに登録する（ステップ１０３）。
【００５６】
また、通信条件指示手段２５Ｂは、子機３へのチャネルテーブルの同期を無線モジュール２６へ指示する。これに応じて、通信制御手段２９Ａは、モジュール記憶部２８のチャネルテーブル２８Ａを読み出して、無線送受信部２７から無線回線６を介して子機３へ通知する。子機３の無線モジュール３６は、親機２の無線モジュール２６から通知されたチャネルテーブル２８Ａの内容に基づき自己のモジュールテーブルを更新する。これにより、親機２および子機３間でモジュールテーブルの内容が同期されて、互いに同じ使用不可チャネルが認識され（ステップ１０４）、無線ＬＡＮ基地局７で音声パケット通信のために使用開始された無線ＬＡＮチャネルに対応するブルートゥースチャネルが使用不可となる。
【００５７】
その後、電話制御装置１の制御部１５は、無線ＬＡＮ管理手段１５Ｂにより、外線Ｉ／Ｆ部１０およびＬＡＮ回線８を介して無線ＬＡＮ基地局７から新たな無線ＬＡＮチャネル情報１４Ｂを取得し、記憶部１４へ保存する（ステップ１１０）。
ここで、無線ＬＡＮ基地局７で、音声パケット通信が終了していた場合、記憶部１４の新たな無線ＬＡＮチャネル情報１４Ｂから使用終了無線ＬＡＮチャネルのチャネル番号を抽出し、その無線ＬＡＮチャネル番号からなる新たな通信条件を設定通知により内線Ｉ／Ｆ部１１から内線伝送路５を介して各無線電話機４Ａへ通知する（ステップ１１１）。
【００５８】
無線電話機４を構成する親機２の親機制御部２５は、伝送Ｉ／Ｆ部２０を介して電話制御装置１から設定通知を受信した場合、通信条件指示手段２５Ｂにより、この設定通知で通知された新たな通信条件に含まれる使用終了無線ＬＡＮチャネル番号をブルートゥースチャネル番号に変換する（ステップ１１２）。
【００５９】
続いて、通信条件指示手段２５Ｂは、変換により得られた使用終了無線ＬＡＮチャネル番号と対応するブルートゥースチャネル番号を使用可チャネルとして無線モジュール２６へ指定する。
無線モジュール２６のモジュール制御部２９は、通信制御手段２９Ａにより、通信条件指示手段２５Ｂから指定された使用可チャネルを、モジュール記憶部２８のチャネルテーブル２８Ａに登録する（ステップ１１３）。
【００６０】
また、通信条件指示手段２５Ｂは、子機３へのチャネルテーブルの同期を無線モジュール２６へ指示する。これに応じて、通信制御手段２９Ａは、モジュール記憶部２８のチャネルテーブル２８Ａを読み出して、無線送受信部２７から無線回線６を介して子機３へ通知する。子機３の無線モジュール３６は、親機２の無線モジュール２６から通知されたチャネルテーブル２８Ａの内容に基づき自己のモジュールテーブルを更新する。これにより、親機２および子機３間でモジュールテーブルの内容が同期されて、互いに同じ使用可チャネルが認識され（ステップ１１４）、無線ＬＡＮ基地局７で使用終了となった無線ＬＡＮチャネルに対応するブルートゥースチャネルが使用可となる。
【００６１】
このように、本実施の形態は、無線電話機に、搬送波周波数の異なる複数のチャネルのうちから任意の通信条件に基づき順次選択したチャネルを用いて無線データ通信を行う通信制御手段と、電話制御装置から通知された通信条件を無線データ通信の通信条件として通信制御手段に指定する通信条件指示手段とを設け、電話制御装置で、無線ＬＡＮ管理手段により、ＬＡＮ回線を介して接続された無線ＬＡＮ基地局から当該無線ＬＡＮ基地局での無線ＬＡＮチャネルの使用状況を示す無線ＬＡＮチャネル情報を取得し、通信条件通知手段により、無線ＬＡＮチャネル情報から生成した新たな通信条件を無線電話機へ通知するようにした。
【００６２】
これにより、無線ＬＡＮ基地局での無線ＬＡＮチャネルの使用状況に基づいて、電話制御装置から各無線電話機に対して、それぞれの無線データ通信に関する新たな通信条件を自動的に設定することができる。
したがって、ＩＳＭバンドを使用する無線ＬＡＮ通信装置が電話システムの内線電話機をなすブルートゥース無線電話機と併用される場合でも、ＩＳＭバンドでの無線通信環境を良好に保つことができる。また、電話制御装置から各無線電話機に対して新たな通信条件が自動的に設定されるため、ブルートゥース無線電話機で使用不可とするブルートゥースチャネル番号を設定するなどの通信条件を利用者が設定する必要がなくなり、利用者の作業負担を削減できる。
【００６３】
また、本実施の形態では、電話制御装置により、無線ＬＡＮチャネル情報から抽出した使用開始無線ＬＡＮチャネルおよび使用終了無線チャネルのチャネル番号を新たな通信条件として無線電話機へ通知し、各無線電話機において、新たな通信条件に含まれる使用開始無線ＬＡＮチャネル番号に対応するブルートゥースチャネル番号を使用不可チャネルとして指定し、新たな通信条件に含まれる使用終了無線ＬＡＮチャネル番号に対応するブルートゥースチャネル番号を使用可チャネルとして指定するようにしたので、無線ＬＡＮ基地局で音声パケット通信が行われている期間だけ、当該無線ＬＡＮチャネルに対応するブルートゥースチャネルを使用可否に指定でき、無線チャネルを極めて有効に利用できる。
【００６４】
また、本実施の形態では、電話制御装置により、無線ＬＡＮ基地局で使用する各無線ＬＡＮチャネルのうち、音声パケット通信で用いている無線ＬＡＮチャネルに関する無線ＬＡＮチャネル情報から新たな通信条件を生成して各無線電話機へ通知するようにしたので、無線ＬＡＮ通信方式とブルートゥース無線通信方式の双方で及ぼす影響が大きいチャネルのみを使用不可とすることができ、無線チャネルを極めて有効に利用できる。
【００６５】
無線ＬＡＮ基地局での音声パケット通信では、音声品質を維持するため連続して音声パケットを送受信する必要があり、同一搬送周波数をブルートゥース無線通信方式で共用した場合には、無線ＬＡＮ側の音声通信に音飛びなどが発生して音声品質の低下が著しく、ブルートゥース側でもパケット再送が増加して通信レートが低下する。一方、無線ＬＡＮ基地局での音声パケット通信以外のデータ通信では、間欠的にデータパケットを送受信しているため、同一搬送周波数をブルートゥース無線通信方式で共用した場合でも、双方にあまり影響はない。
【００６６】
したがって、音声パケット通信で用いている無線ＬＡＮチャネルを対象とすることにより、無線ＬＡＮ通信方式とブルートゥース無線通信方式の双方で及ぼす影響が大きいチャネルのみを使用不可とすることができ、無線チャネルを極めて有効に利用できる。
なお、無線ＬＡＮ基地局は、各無線ＬＡＮチャネルで用いているプロトコルの種別を把握しており、またＳＩＰなどの音声パケット通信に用いられるプロトコルのパケットがやり取りされるため、各無線ＬＡＮチャネルが音声パケット通信に用いられているか否かを容易に判定できる。
【００６７】
また、本実施の形態では、無線ＬＡＮ基地局で用いている無線ＬＡＮチャネルのチャネル番号を電話制御装置から各無線電話機に対して通知し、各無線電話機で無線ＬＡＮチャネル番号に対応するブルートゥースチャネル番号に変換し使用不可チャネルとして設定するようにしたので、電話制御装置１では無線ＬＡＮ基地局から取得した無線ＬＡＮチャネル番号をそのまま各無線電話機に通知すればよく、電話制御装置１での処理負担を軽減できる。
【００６８】
［第２の実施の形態］
次に、図６を参照して、本発明の第２の実施の形態にかかる電話システムについて説明する。図６は、本発明の第２の実施の形態にかかる電話システムの動作として通信条件設定動作を示すシーケンス図である。
【００６９】
第１の実施の形態では（図５参照）、無線ＬＡＮ基地局で用いている無線ＬＡＮチャネルのチャネル番号を電話制御装置から各無線電話機に対して通信条件として通知し、無線電話機で無線ＬＡＮチャネルをブルートゥースチャネル番号に変換する場合について説明した。本実施の形態では、電話制御装置により、無線ＬＡＮ基地局で用いている無線ＬＡＮチャネルのチャネル番号をブルートゥースチャネル番号に変換した後、各無線電話機に対して通信条件として通知する場合について説明する。
【００７０】
本実施の形態にかかる電話システムの電話制御装置１、各無線電話機４、およびその他の構成については、前述した第１の実施の形態（図１参照）と同様であり、ここでの詳細な説明は省略する。なおチャネル変換には、図４に示すようなチャネル番号抽出テーブルを用いてもよく、所定の数式により変換してもよい。
【００７１】
本実施の形態にかかる電話システムの動作については、前述した図５と比較して、無線ＬＡＮチャネル番号をブルートゥースチャネル番号に変換する処理を電話制御装置１で行っている点が異なる。
すなわち、電話制御装置１の制御部１５は、無線ＬＡＮ管理手段１５Ｂにより、無線ＬＡＮ基地局７から無線ＬＡＮチャネル情報１４Ｂを取得した後（ステップ２００）、通信条件通知手段１５Ｃにより、無線ＬＡＮチャネル情報１４Ｂから抽出した使用開始無線ＬＡＮチャネルのチャネル番号をブルートゥースチャネル番号に変換し（ステップ２０１）、得られた使用不可ブルートゥースチャネル番号を新たな通信条件として設定通知により無線電話機４へ通知する（ステップ２０２）。
【００７２】
無線電話機４を構成する親機２の親機制御部２５は、通信条件指示手段２５Ｂにより、設定通知で通知された新たな通信条件に含まれる使用不可ブルートゥースチャネル番号を無線モジュール２６へ指定する。
無線モジュール２６のモジュール制御部２９は、通信制御手段２９Ａにより、通信条件指示手段２５Ｂから指定された使用不可チャネルを、モジュール記憶部２８のチャネルテーブル２８Ａに登録し（ステップ２０３）、無線モジュール２６が子機３との間でモジュールテーブルの内容を同期させる（ステップ２０４）。
【００７３】
また、電話制御装置１の制御部１５は、無線ＬＡＮ管理手段１５Ｂにより、無線ＬＡＮ基地局７から無線ＬＡＮチャネル情報１４Ｂを取得した後（ステップ２１０）、通信条件通知手段１５Ｃにより、無線ＬＡＮチャネル情報１４Ｂから抽出した使用終了無線ＬＡＮチャネルのチャネル番号をブルートゥースチャネル番号に変換し（ステップ２１１）、得られた使用可ブルートゥースチャネル番号を新たな通信条件として設定通知により無線電話機４へ通知する（ステップ２１２）。
【００７４】
親機２の親機制御部２５は、通信条件指示手段２５Ｂにより、設定通知で通知された新たな通信条件に含まれる使用可ブルートゥースチャネル番号を無線モジュール２６へ指定する。
無線モジュール２６のモジュール制御部２９は、通信制御手段２９Ａにより、通信条件指示手段２５Ｂから指定された使用可チャネルを、モジュール記憶部２８のチャネルテーブル２８Ａに登録し（ステップ２１３）、無線モジュール２６が子機３との間でモジュールテーブルの内容を同期させる（ステップ２１４）。
【００７５】
このように、本実施の形態では、電話制御装置により、無線ＬＡＮチャネル情報から抽出した使用開始無線ＬＡＮチャネルおよび使用終了無線チャネルのチャネル番号と対応するブルートゥースチャネル番号を通信条件として無線電話機へ通知し、各無線電話機において、新たな通信条件に含まれる使用開始ブルートゥースチャネル番号を使用不可チャネルとして通信制御手段に指定し、通信条件に含まれる使用終了ブルートゥースチャネル番号を使用可チャネルとして通信制御手段に指定するようにしたので、チャネル変換が電話制御装置で一括して行われるため、各無線電話機でチャネル変換を行う必要がなくなり、各無線電話機での処理負担を軽減できる。
【００７６】
［実施の形態の拡張］
以上の各実施の形態では、無線電話機４において、親機２と子機３とを無線回線を介して接続する際にブルートゥース無線通信方式を用いる場合を例として説明したが、ブルートゥース無線通信方式の用い方についてはこれに限定されるものではなく、例えば内線電話機が他の端末機器とのデータ通信にブルートゥース無線通信方式を用いている場合であっても、この内線電話機を無線電話機４と見なして各実施の形態を前述と同様に実施でき、同様の作用効果が得られる。
【００７７】
また、以上の各実施の形態では、無線電話機４を構成する親機２の親機制御部２５に、通信条件指示手段２５Ｂを設けた場合を例として説明したが、これを無線モジュール２６のモジュール制御部２９で実現してもよく、ブルートゥース無線通信方式の周波数ホッピング機能の１つとして無線モジュール内に実装できる。これにより、親機制御部２５での処理を大幅に軽減できるとともに、親機制御部２５で実行するプログラムを簡素化でき、全体として安価な無線通信装置を実現できる。
【図面の簡単な説明】
【００７８】
【図１】本発明の第１の実施の形態にかかる電話システムの構成を示すブロック図である。
【図２】本発明の第１の実施の形態にかかる電話システムで用いられる無線電話機の構成を示すブロック図である。
【図３】チャネル番号変換テーブルの構成例である。
【図４】チャネルテーブルの構成例である。
【図５】本発明の第１の実施の形態にかかる電話システムの動作として通信条件設定動作を示すシーケンス図である。
【図６】本発明の第２の実施の形態にかかる電話システムの動作として通信条件設定動作を示すシーケンス図である。
【符号の説明】
【００７９】
１…電話制御装置、１０…外線Ｉ／Ｆ部、１１…内線Ｉ／Ｆ部、１２…スイッチ、１４…記憶部、１４Ａ…呼制御情報、１４Ｂ…無線ＬＡＮチャネル情報、１５…制御部、１５Ａ…呼制御手段、１５Ｂ…無線ＬＡＮ管理手段、１５Ｃ…通信条件通知手段、２…親機、２０…伝送Ｉ／Ｆ部、２１…音声処理部、２２…表示部、２３…操作入力部、２４…記憶部、２５…親機制御部、２５Ａ…呼制御手段、２５Ｂ…通信条件指示手段、２６…無線モジュール、２７…無線送受信部、２８…モジュール記憶部、２８Ａ…チャネルテーブル、２９…モジュール制御部、２９Ａ…通信制御手段、３…子機、３１…音声処理部、３２…表示部、３３…操作入力部、３４…記憶部、３５…子機制御部、３６…無線モジュール、４，４Ａ〜４Ｎ…無線電話機、５…内線伝送路、６…無線回線、７…無線ＬＡＮ基地局、８…ＬＡＮ回線、９…通話回線。
【図１】
0005179002.tif 000002
【図２】
0005179002.tif 000003
【図３】
0005179002.tif 000004
【図４】
0005179002.tif 000005
【図５】
0005179002.tif 000006
【図６】
0005179002.tif 000007